(57)【特許請求の範囲】
【請求項１】
裏側から遊技盤を前面に臨ませるための遊技窓孔を有する遊技盤枠に、遊技窓孔に嵌まるガラス枠と、ガラス枠を覆う飾り縁とをそれぞれ開閉可能に軸支し、飾り縁が遊技窓孔に軸支される基枠と、それを覆う装飾枠との組合せからなり、遊技盤枠に基枠を挟んで開閉可能に軸支する上下一対の支承片を突設したパチンコ遊技機において、遊技盤枠に支承片に軸支される開閉軸を中心とする円に沿った湾曲凹面を上下支承片間の全長にわたって形成し、基枠の軸支側の縦縁には、開閉によりその湾曲凹面に全長にわたって摺動するスライド面を設けたことを特徴とするパチンコ遊技機における防犯装置。
【発明の詳細な説明】
【０００１】
【産業上の利用分野】
この発明は、遊技盤の領域に打球してなすパチンコ遊技機において不正操作されないようにするための防犯装置に関する。
【０００２】
【従来の技術】
従来、パチンコ機は、図５に示すように、設置箇所に固定して据え付けられる外枠５０（ベニア板で枠組みされる）と、それに扉のように開閉可能に取り付けられる表枠５２とからなり、表枠５２は、打球装置を装備する機構枠５２ａと、表に面する内枠５２ｂとの組合せからなるもので、機構枠５２ａは、一般的にプラスチックにより成形され、内枠５２ｂは、プラスチックまたはベニア板からなるものであった。
【０００３】
遊技盤は、機構枠５２ａに嵌め込まれ、また、内枠５２ｂには、ガラス６０を備えるために鈑金部材で組み立てられる窓枠５４が嵌め込まれていた。さらに、窓枠５４には同じく鈑金部材からなるガラス枠５６が開閉可能に軸支されていた。
【０００４】
【発明が解決しようとする課題】
不正使用は、主に遊技盤に対してなされるもので、上記のような従来の構造においては、機構枠５２ａと内枠５２ｂとの間、内枠５２ｂと窓枠５４との間、さらには、窓枠５４とガラス枠５６との間から、カードや針金、ピン等を遊技盤に差し込んで操作されるという問題があった。
【０００５】
この発明は、上記のような実情に鑑みて、遊技盤に対してカードや針金等を差し込む不正使用をなし得ないパチンコ遊技機における防犯装置を提供することを目的とした。
【０００６】
【課題を解決するための手段】
上記の目的を達成するために、本発明は、裏側から遊技盤を前面に臨ませるための遊技窓孔を有する遊技盤枠に、遊技窓孔に嵌まるガラス枠と、ガラス枠を覆う飾り縁とをそれぞれ開閉可能に軸支し、飾り縁が遊技窓孔に軸支される基枠と、それを覆う装飾枠との組合せからなり、遊技盤枠に基枠を挟んで開閉可能に軸支する上下一対の支承片を突設したパチンコ遊技機において、遊技盤枠に支承片に軸支される開閉軸を中心とする円に沿った湾曲凹面を上下支承片間の全長にわたって形成し、基枠の軸支側の縦縁には、開閉によりその湾曲凹面に全長にわたって摺動するスライド面を設けたことを特徴とするパチンコ遊技機における防犯装置を提供するものである。
【０００７】
上記の構成によれば、飾り縁の軸支側において、遊技盤枠との間が湾曲凹面とそれと擦り合うスライド面であるので、その間にカード等を差し込むことはできない。
【０００８】
【発明の実施の形態】
本願の発明に係る軸支側端の防犯装置Ｐにおいては、湾曲凹面２１と摺動するスライド面２３は、実施例では縦縁２０と別部材で形成したが、縦縁２０と一体に形成することができる。
【０００９】
マグネシウム合金製の場合は、合成樹脂製のものより防犯効果が大きい。例えば合成樹脂製であると、樹脂を削って穴をあけたり、樹脂を熱で溶解させて穴をあけたり、変形させて不正を行なう者もあらわれるが、マグネシウム合金製であると、そのようなことで穴をあけたりすることはできないので、防犯効果も大きいわけである。
【００１０】
【発明の効果】
以上説明したように、この発明によれば、ガラス枠とそれを押さ止める飾り縁の軸支側において、遊技盤枠と飾り縁の基枠との間の隙間を確実に無くしたので、その側においてカードや針金、ピン等を差し込むことができないため、遊技盤を外から操作する不正使用を未然に防止する防犯対策の上に優れた効果を発揮するものである。
【００１１】
【実施例】
次に、この発明の実施例を図面に基づいて説明する。
【００１２】
図１および図２は、この発明の実施対象としてのパチンコ遊技機を示し、図３は、この発明に係る軸支側端（左側端）の防犯装置Ｐを、図４は、別途に上端の防犯装置Ｑをそれぞれ示す。上端の防犯装置Ｑは、右側端や下端においても同様の考え方で実施できる。
【００１３】
パチンコ遊技機は、マグネシウム合金製の遊技盤枠１に、ステンレス板で加工されたガラス枠３と飾り縁４が同一側において開閉可能に軸支されたもので、遊技盤枠１が従来にない特異なものであるが、従来の機構枠と同様にその遊技盤枠１には遊技盤５が嵌め込まれる。
【００１４】
また、ガラス枠３が遊技盤枠１に嵌まっており、遊技盤枠１の前面を飾り縁４が覆っている。そこで、遊技盤枠１と飾り縁４との間の隙間を塞ぐよう防犯装置Ｐ，Ｑが工夫されている。
【００１５】
遊技盤枠１は、遊技盤５を前面に臨ませる遊技窓孔６を有するもので、それぞれマグネシウム合金により射出成形された左右縦枠１２，１３と、上枠１４と、下枠としての腰部枠１５とで枠組みされる。
【００１６】
また、腰部枠１５において、発射装置の主な部品、例えば、発射モーター２８、打撃槌３２、発射レール３４等を備えている。従って、この遊技盤枠１は、従来の機構枠５２ａと内枠５２ｂとを兼ねているとも言え（図５参照）、この一体化によって不正使用をなし得る隙間の数が少なくなっている。
【００１７】
また、遊技盤枠１の左縦枠１２には、内側にガラス枠３の軸承片１６，１６を、外側に飾り縁４の軸承片１７，１７を設けてあって。ガラス枠３が遊技盤枠１に納まっており、その間の隙間が封じられている。
【００１８】
しかしながら、不正使用者は巧妙であることから、遊技盤枠１とガラス枠３との間の隙間も見逃してはならない。この点については、縦枠１２，１３の内面には突条１８が突設されているので、仮に、遊技盤枠１とガラス枠３との間からカード等を差し込んでも、それによって阻止されるので、これによっても不正防止対策に万全が期されている。
【００１９】
飾り縁４は、これも特異なもので、遊技盤枠１に支承片１７，１７により軸支される基枠８と、それに被せる装飾枠９との組合せからなっている。そして、基枠８は、左右縦縁２０，２４と上下縁２２，４４とにより構成され、左縦縁２０側において防犯装置Ｐが構成され、上縁２２側と右縦縁２４側とについて防犯装置Ｑが構成されている。
【００２０】
そのうち、軸支側端の防犯装置Ｐについては、遊技盤枠１の縦枠１２に、飾り縁４の開閉軸２６を中心とする円に沿った湾曲凹面２１を形成し、その先端に後ろへの屈折片２７が形成してある。飾り縁４の左縦縁２０には、開閉によりその湾曲凹面２１に摺動するスライド面２３，２３を設けてある。また、スライド面２３，２３を設けるために、左縦縁２０には、その先端面がスライド面２３，２３を構成するＬ字形断面の部材と略三角断面の部材とがビス止めされている。
【００２１】
また、ガラス枠３が遊技窓孔６に嵌まると、遊技盤枠１とガラス枠３との間に隙間３０が生じ、飾り縁４には、その隙間３０に嵌まる突条３１が基枠８において形成されている。これも、カードやピン等を差し入れるような不正使用を防止する防犯対策の一つである。
【００２２】
次に実施例の上端側の防犯装置Ｑについては、図４に示すように、遊技盤枠１の上枠１４の上端において突条３３を、飾り縁４の基枠８の上縁２２にはそれが差し合う溝部３５を設けてある。さらに、上枠１４には、ガラス枠３の上において、引っ込み形態に段状屈折部３７を設け、上縁２２にはその段状屈折部３７の中に差し込まれる突片３９を設けてある。このようにして、上からカードや針金等を差し込む障害を造ってある。
【００２３】
また、飾り縁４の基枠８の上縁２２下端には、前方へ突出し反転して先端がガラス枠３に被さりガラスを押える機構を有する前面縁フレーム４１が形成され、これによって、ガラス枠３と飾り縁４の前面側の境界からもカード等が差し込まれないようにしてある。
【００２４】
上記した実施例の枠（フレーム）は全てマグネシウム合金製なので、その成形精度の高さと、耐熱性、機械強度の大きさから、上記した防犯装置の実施例はいっそう堅固なものとなっている。なお、防犯装置Ｑは上記した上端側のみならず、下端側、左側端側（場合によっては右側端側も）においても実施され得ることは言うまでもない。
【図面の簡単な説明】
【図１】  この発明に係る遊技機としてのパチンコ遊技機を飾り縁を開いた状態で示す斜視図である。
【図２】  同パチンコ遊技機の分解斜視図である。
【図３】  この発明による軸支側端の防犯装置Ｐを示す平面から見た説明図である。
【図４】  別途に上端の防犯装置Ｑを示す側面から見た説明図である。
【図５】  従来例の説明図である。
【符号の説明】
Ｐ，Ｑ  遊技機における防犯装置
１  遊技盤枠
３  ガラス枠
４  飾り縁
５  遊技盤
６  遊技窓孔
８  基枠
９  装飾枠
１２  縦枠
１４  上枠
１７  支承片
２０  縦縁
２１  湾曲凹面
２３  スライド面
２６  開閉軸
【図１】
0003707652.tif 000002
【図５】
0003707652.tif 000003
【図２】
0003707652.tif 000004
【図３】
0003707652.tif 000005
【図４】
0003707652.tif 000006